(57)【要約】【課題】　消費電力を減らせると共に、高解像度、及び大型パネルに適したフラットディスプレイパネルを提供すること。【解決手段】　一方向に配列される多数のデータライン40と、データラインに対して垂直な方向に配列される多数のスキャンライン50と、データラインとスキャンラインとの交差点に形成される発光ピックセル(A1〜A4,B1〜B4,...）と、スキャンライン50は少なくとも一つ以上のスキャンラインが一つのグループを成して多数のスキャンライングループに配列され、前記多数のスキャンライングループのうち、奇数番目のスキャンライングループに位置する発光ピクセルが第１データライン40aに電気的に接続され、偶数番目のスキャンライングループに位置する発光ピックセルが第２データライン40bに電気的に接続されることを特徴とする。【選択図】　図２
2004078220.tif 000002
【特許請求の範囲】
【請求項１】
　一方向に配列される多数のデータラインと、
　前記データラインに対して垂直方向に配列される多数のスキャンラインと、
　前記データラインと前記スキャンラインとの交差点に形成される発光ピックセルとを有し、
　前記スキャンラインは、少なくとも一つ以上のスキャンラインが一つのグループを成して多数のスキャンライングループに配列され、前記多数のスキャンライングループのうち、奇数番目のスキャンライングループに位置する発光ピクセルが第１データラインに電気的に接続され、偶数番目のスキャンライングループに位置する発光ピックセルが第２データラインに電気的に接続されていることを特徴とするフラットディスプレイパネル。
【請求項２】
　前記第１データラインは、前記多数のデータラインのうち奇数番目のデータラインであり、前記第２データラインは、偶数番目のデータラインであることを特徴とする請求項１記載のフラットディスプレイパネル。
【請求項３】
　前記奇数番目のスキャンライングループは、第１スキャンラインと第２スキャンラインとで構成され、前記偶数番目のスキャンライングループは、第３スキャンラインと第４スキャンラインとで構成されることを特徴とする請求項１記載のフラットディスプレイパネル。
【請求項４】
　前記奇数番目のスキャンライングループのスキャンラインと、これに隣接した偶数番目のスキャンライングループのスキャンラインとは、同一の順序で同時に駆動することを特徴とする請求項１記載のフラットディスプレイパネル。
【請求項５】
　一方向に配列される多数のデータラインと、
　前記データラインに対して垂直な方向に配列される多数のスキャンラインと、
　前記データラインと前記スキャンラインとの交差点に形成される発光ピクセルとを有し、
　前記スキャンラインは、二つのスキャンラインが一対をなして多数のスキャンライン対で配列され、前記多数のスキャンライン対のうち奇数番目のスキャンライン対に位置する発光ピクセルが第１データラインに電気的に接続され、偶数番目のスキャンライン対に位置する発光ピクセルが第２データラインに電気的に接続されていることを特徴とするフラットディスプレイパネル。
【請求項６】
　前記スキャンライン対は、互いに隣接する二つのスキャンラインで構成されることを特徴とする請求項５記載のフラットディスプレイパネル。
【請求項７】
　前記奇数番目のスキャンライン対は、第１スキャンラインと第２スキャンラインで構成され、前記偶数番目のスキャンライン対は、第３スキャンラインと第４スキャンラインで構成されることを特徴とする請求項５記載のフラットディスプレイパネル。
【請求項８】
　前記奇数番目のスキャンライン対の第１，第２スキャンと、これに隣接した偶数番目のスキャンライン対の第３，第４スキャンラインとは、同一の順序で同時に駆動することを特徴とする請求項７記載のフラットディスプレイパネル。
【請求項９】
　前記第１データラインは、前記多数のデータラインのうち奇数番目のデータラインであり、前記第２データラインは、偶数番目のデータラインであることを特徴とする請求項５記載のフラットディスプレイパネル。
【請求項１０】
　前記１番目のスキャンライン対の第１スキャンラインと前記２番目のスキャンライン対の第１スキャンラインは、１番目のスキャン信号が印加されるときに同時に駆動し、前記１番目のスキャンライン対の第２スキャンラインと前記２番目のスキャンライン対の第２スキャンラインは、２番目のスキャン信号が印加されるときに同時に駆動し、このような駆動方式で残りのスキャンライン対が順次に駆動することを特徴とする請求項５記載のフラットディスプレイパネル。
【請求項１１】
　１番目のフレームにおいて、前記１番目のスキャンライン対の第１スキャンラインと前記２番目のスキャンライン対の第１スキャンラインは、１番目のスキャン信号が印加されるときに同時に駆動し、前記３番目のスキャンライン対の第１スキャンラインと前記４番目のスキャンライン対の第１スキャンラインは、２番目のスキャン信号が印加されるときに同時に駆動し、
２番目のフレームにおいて、前記１番目のスキャンライン対の第２スキャンラインと前記２番目のスキャンライン対の第２スキャンラインは、１番目のスキャン信号が印加されるときに同時に駆動し、前記３番目のスキャンライン対の第２スキャンラインと前記４番目のスキャンライン対の第２スキャンラインは、２番目のスキャン信号が印加されるときに同時に駆動し、
　かかる駆動方式によって残りのスキャンライン対が順次に駆動することを特徴とする請求項５記載のフラットディスプレイパネル。
【請求項１２】
　前記１番目のフレーム時間または２番目のフレーム時間は、前記ディスプレイパネルの全体の発光ピクセルを駆動させるのにかかる一つのフレームの時間より少ないことを特徴とする請求項１１記載のフラットディスプレイパネル。
【請求項１３】
　前記スキャンラインに印加されるスキャン信号は、インターレーシング方式で印加されることを特徴とする請求項５記載のフラットディスプレイパネル。
【発明の詳細な説明】
【技術分野】
【０００１】
　本発明はディスプレイに関し、特にフラットディスプレイパネルに関する。
【背景技術】
【０００２】
　最近、平面ディスプレイ分野では飛躍的な発展が進んでいる。特に、ＬＣＤを先頭に登場し始めたフラットディスプレイは、十数年間ディスプレイ分野で最も多く使用されてきたＣＲＴ（Cathode Ray Tube）を追い越し、最近はＰＤＰ（Plasma Display Panel）、ＶＦＤ（Visual　Fluorescent　Display）、ＦＥＤ（Field　Emissin　Display）、ＬＥＤ（Light Emitting Diode）、ＥＬ（Electroluminescence）などの発展が著しい実情である。
【０００３】
　かかるフラットディスプレイは視認性および色感に優れているだけでなく、製造工程も簡単であるという長所がある。
　しかしながら、フラットディスプレイは、ディスプレイパネルの大きさが大きくなるほどディスプレイや駆動回路で電流の消耗が多かった。また、フラットディスプレイの解像度が高くなるほどピクセルの数が増加することでデータライン、及びスキャンラインの数が増加した。
【０００４】
　このように、スキャンラインの数が増加すると、一つのピクセルの発光時間が短縮し、輝度が低くなる。
　したがって、フラットディスプレイは、希望の輝度を得るために多量の電流が必要となる。
【０００５】
　このため、従来はこれを克服するためにスキャンラインの数を減らす方法が提示された。
　図１は従来の技術による有機ＥＬディスプレイパネルを示す図面であって、図１に示すように、この有機ＥＬディスプレイパネルは、互いに垂直に交差するデータライン５とスキャンライン６、データライン５とスキャンライン６との交差領域に形成されるピクセル、スキャンライン６とスキャンライン６との間に形成される電気絶縁隔壁３、データライン５の一方に形成される補助電極４、データライン５を駆動する第１，第２データドライバー２ａ，２ｂ、及びスキャンライン６を駆動するスキャンドライバー１で構成されている。
【０００６】
　ここで、データライン５は、第１データドライバー２ａにより駆動するデータライン５と、第２データドライバー２ｂにより駆動するデータライン５とに分けられる。
　したがって、スキャンドライバー１は、二つの部分に分けられたデータライン５をそれぞれスキャン駆動可能であるので、スキャンラインの数を減らすような効果がある。
【発明の開示】
【発明が解決しようとする課題】
【０００７】
　しかしながら、かかる構造は２つのデータドライバーが必要であるので、全体的なディスプレイパネルの大きさが増加する。また、ディスプレイシステムの構造が複雑で、原価が上昇するという問題が発生する。
【０００８】
　そして、ディスプレイパネルが２つの部分に分けられているので、ディスプレイパネルに偏差が生じることがあり、このため、ディスプレイされる映像が均一性を失い、フリッカー現象が激しく現れる。
【０００９】
　そこで、本発明の目的はかかる問題を解決するためのもので、消費電力を減らせるフラットディスプレイパネルを提供することにある。
　本発明の他の目的として、高解像度、及び大型パネルに適したフラットディスプレイパネルを提供する。
【課題を解決するための手段】
【００１０】
　上記目的を達成するために、本発明によるフラットディスプレイパネルは、 一方向に配列される多数のデータラインと、前記データラインに対して垂直な方向に配列される多数のスキャンラインと、前記データラインと前記スキャンラインとの交差点に形成される発光ピックセルとを有し、前記スキャンラインは、少なくとも一つ以上のスキャンラインが一つのグループを成して多数のスキャンライングループに配列され、前記多数のスキャンライングループのうち、奇数番目のスキャンライングループに位置する発光ピクセルは、第１データラインに電気的に接続され、偶数番目のスキャンライングループに位置する発光ピックセルは、第２データラインに電気的に接続されることを特徴とする。
【００１１】
　ここで、前記第１データラインは、前記多数のデータラインのうち奇数番目のデータラインであり、前記第２データラインは、偶数番目のデータラインである。
　本発明の他の実施形態は、一方向に配列される多数のデータラインと、前記データラインに対して垂直な方向に配列される多数のスキャンラインと、前記データラインと前記スキャンラインとの交差点に形成される発光ピクセルとを有し、前記スキャンラインは、二つのスキャンラインが一対を成して多数のスキャンライン対で配列され、前記多数のスキャンライン対のうち奇数番目のスキャンライン対に位置する発光ピクセルは、第１データラインに電気的に接続され、偶数番目のスキャンライン対に位置する発光ピクセルは、第２データラインに電気的に接続されることを特徴とする。
【００１２】
　ここで、前記スキャンライン対は、互いに隣接する二つのスキャンラインで構成される。
【００１３】
　前記奇数番目のスキャンライン対は、第１スキャンラインと第２スキャンラインとで構成され、前記偶数番目のスキャンライン対は、第３スキャンラインと第４スキャンラインとで構成される。
この際、前記奇数番目のスキャンライン対の第１，第２スキャンと、これに隣接した偶数番目のスキャンライン対の第３，第４スキャンラインとは、同一の順序で同時に駆動する。
【００１４】
　また、前記１番目のスキャンライン対の第１スキャンラインと前記２番目のスキャンライン対の第１スキャンラインは、１番目のスキャン信号が印加されるときに同時に駆動し、前記１番目のスキャンライン対の第２スキャンラインと前記２番目のスキャンライン対の第２スキャンラインは、２番目のスキャン信号が印加されるときに同時に駆動し、このような駆動方式で残りのスキャンライン対が順次に駆動する。
【００１５】
　そして、１番目のフレームにおいて、前記１番目のスキャンライン対の第１スキャンラインと前記２番目のスキャンライン対の第１スキャンラインは、１番目のスキャン信号が印加されるときに同時に駆動し、前記３番目のスキャンライン対の第１スキャンラインと前記４番目のスキャンライン対の第１スキャンラインは、２番目のスキャン信号が印加されるときに同時に駆動し、２番目のフレームにおいて、前記１番目のスキャンライン対の第２スキャンラインと前記２番目のスキャンライン対の第２スキャンラインは、１番目のスキャン信号が印加されるときに同時に駆動し、前記３番目のスキャンライン対の第２スキャンラインと前記４番目のスキャンライン対の第２スキャンラインは、２番目のスキャン信号が印加されるときに同時に駆動し、かかる駆動方式によって残りのスキャンライン対が順次に駆動する。
【００１６】
　ここで、前記１番目のフレーム時間、または２番目のフレーム時間は前記ディスプレイパネルの全体の発光ピクセルを駆動させるのにかかる一つのフレームの時間より少ない。そして、前記スキャンラインに印加されるスキャン信号はインターレーシング方式で印加される。
【発明の効果】
【００１７】
本発明によれば、スキャン周波数を従来のものより減らしてもフリッカー現象が現れないので、電力消耗を減らすことができる。
また、本発明はデータラインを全て一方方向にのみ抜き出すことができ、従来の方法よりデータドライバーチップ、及びチップボンデリングによる費用を半分に減らすことができる。即ち、データドライバーチップの数やチップボンデリングの数を減らせるので、製造原価が低減する。
【発明を実施するための最良の形態】
【００１８】
　以下、本発明の好ましい実施形態を添付の図面に基づいて詳細に説明する。
【００１９】
　図２は、本発明による有機ＥＬディスプレイパネルを示す図面である。
　図２を参照して説明すると、この有機ＥＬディスプレイパネルは、一方向に配列される多数のデータライン４０と、データライン４０に対して垂直な方向に配列される多数のスキャンライン５０と、データライン４０とスキャンライン５０との交差点に形成される発光ピクセルと、スキャンライン５０とスキャンライン５０との間に形成される電気絶縁隔壁３０と、データライン４０を駆動するデータドライバー２０と、及びスキャンライン５０を駆動するスキャンドライバー１０とで構成されている。
【００２０】
　ここで、スキャンライン５０は、２つのスキャンラインが一対を成して多数のスキャンライン対で配列され、データライン４０は、第１データライン４０ａと第２データライン４０ｂとで構成されている。
【００２１】
　そして、多数のスキャンライン対のうち奇数番目のスキャンライン対に位置する発光ピクセルは、第１データライン４０ａに電気的に接続され、偶数番目のスキャンライン対に位置する発光ピクセルは、第２データライン４０ｂに電気的に接続される。
【００２２】
　ここで、スキャンライン対は互いに隣接した２つのスキャンライン５０で構成される。即ち、奇数番目のスキャンライン対は、第１スキャンラインと第２スキャンラインとで構成され、偶数番目のスキャンライン対は、第３スキャンラインと第４スキャンラインとで構成される。
【００２３】
　以下、本発明のデータラインとスキャンラインの配列を更に詳細に説明する。
【００２４】
　図２に示すように、１番目のスキャンラインＡに形成される発光ピクセル（Ａ１，Ａ２，Ａ３，Ａ４，．．．）と２番目のスキャンラインＢに形成される発光ピクセル（Ｂ１，Ｂ２，Ｂ３，Ｂ４，．．．）は、第１データラインに接続される。そして、３番目のスキャンライン（Ａ′）に形成される発光ピクセル（Ｃ１，Ｃ２，Ｃ３，Ｃ４，．．．）と４番目のスキャンライン（Ｂ′）に形成される発光ピクセル（Ｄ１，Ｄ２，Ｄ３，Ｄ４，．．．）は、第２データラインに接続される。
【００２５】
　また、５番目のスキャンライン（Ｃ）に形成される発光ピクセル（Ｅ１，Ｅ２，Ｅ３，Ｅ４，．．．）と６番目のスキャンライン（Ｄ）に形成される発光ピクセル（Ｆ１，Ｆ２，Ｆ３，Ｆ４，．．．）は、第１データラインに接続される。
　そして、図示してはいないが、７番目のスキャンラインに形成される発光ピクセルと８番目のスキャンラインに形成される発光ピクセルは、第２データラインに接続される。
【００２６】
　このような接続構造はパネルの大きさによって反復的に拡張可能である。
　即ち、本発明は、２つのスキャンラインが一対を成すように、多数のスキャンライン対で配列される。
【００２７】
　場合に応じて、本発明のスキャンラインは、少なくとも一つ以上のスキャンラインが一つのグループを成して多数のスキャンライングルーブに配列され、多数のスキャンライングループのうち奇数番目のスキャンライングループに位置する発光ピクセルは、第１データラインに電気的に接続され、偶数番目のスキャンライングループに位置する発光ピクセルは、第２データラインに電気的に接続されるように構成することもできる。
【００２８】
　このように構成される本発明の駆動方法において、図２に示すように、奇数番目のスキャンライン対のスキャンラインと、それに隣接した偶数番目のスキャンライン対のスキャンラインとは、同一の順序で同時に駆動する。
【００２９】
　即ち、１番目のスキャンライン対のスキャンラインＡと２番目のスキャンライン対のスキャンライン（Ａ′）は、１番目のスキャン信号が印加されるときに同時に駆動し、１番目のスキャンライン対のスキャンラインＢと２番目のスキャンライン対のスキャンライン（Ｂ′）は、２番目のスキャン信号が印加されるときに同時に駆動し、このような駆動方式で残りのスキャンライン対が順次に駆動する。
【００３０】
　図３は本発明による有機ＥＬディスプレイパネルのスキャン駆動波形を示す図面である。
　この際、Ｔ１，Ｔ２，Ｔ３，Ｔ４はそれぞれ一つのスキャンラインを駆動させるのにかかる時間を示す。
【００３１】
　図２及び図３に示すように、スキャン信号ＳＡは、１番目のスキャンラインＡに印加される信号、スキャン信号ＳＡ′は、３番目のスキャンラインＡ′に印加される信号、スキャン信号ＳＢは、２番目のスキャンラインＢに印加される信号、スキャン信号ＳＢ′は、４番目のスキャンラインＢ′に印加される信号である。
【００３２】
　そして、スキャン信号ＳＣは、５番目のスキャンラインＣに印加される信号、スキャン信号ＳＣ′は、７番目のスキャンライン（図示せず）に印加される信号、スキャン信号ＳＤは、６番目のスキャンラインＤに印加される信号、スキャン信号ＳＤ′は、８番目のスキャンライン（図示せず）に印加される信号である。
【００３３】
　スキャンラインの駆動順序は次の通りである。
　まず、Ｔ１時間の間にスキャン信号ＳＡとスキャン信号ＳＡ′は、それぞれ１番目のスキャンラインＡと３番目のスキャンラインＡ′に印加される。
【００３４】
　そして、Ｔ２時間の間にスキャン信号ＳＢとスキャン信号ＳＢ′は、それぞれ２番目のスキャンラインＢと４番目のスキャンラインＢ′に印加され、Ｔ３時間の間にスキャン信号ＳＣとスキャン信号ＳＣ′は、それぞれ５番目のスキャンラインＣと７番目のスキャンラインＣ′に印加され、Ｔ４時間の間にスキャン信号ＳＤとスキャン信号ＳＤ′は、それぞれ６番目のスキャンラインと８番目のスキャンラインに印加される。
【００３５】
　したがって、１番目のスキャンラインＡに位置する発光ピックセルと２番目のスキャンラインＢに位置する発光ピクセルが一対をなし、３番目のスキャンラインＡ′に位置する発光ピクセルと４番目のスキャンラインＢ′に位置する発光ピクセルが一対をなす。
【００３６】
　かかる方式でディスプレイパネルにある全ての発光ピクセルはそれぞれ２つずつ対を成している。
　そして、奇数番目のピクセル対は一方のデータラインに接続され、偶数番目のピクセル対は他方のデータラインに接続され、スキャンラインの駆動順序にしたがってデータラインがオン／オフになる。
【００３７】
　本発明において、スキャンラインに印加されるスキャン信号は、インターレーシング方式で印加される。
　１番目のフレームにおいて、１番目のスキャンライン対の１番目のスキャンラインと２番目のスキャンライン対の１番目のスキャンラインは、１番目のスキャン信号が印加されるときに同時に駆動し、３番目のスキャンライン対の１番目のスキャンラインと４番目のスキャンライン対の１番目のスキャンラインは、２番目のスキャン信号が印加されるときに同時に駆動する。
【００３８】
　そして、２番目のフレームにおいて、１番目のスキャンライン対の２番目のスキャンラインと２番目のスキャンライン対の２番目のスキャンラインは、１番目のスキャン信号が印加されるときに同時に駆動し、３番目のスキャンライン対の２番目のスキャンラインと４番目のスキャンライン対の２番目のスキャンラインは、２番目のスキャン信号が印加されるときに同時に駆動する。
【００３９】
　次いで、残りのスキャンライン対はこのような順序で順次に駆動する。
　ここで、１番目のフレーム時間または２番目のフレーム時間は、ディスプレイパネルの全体の発光ピクセルを駆動させるのにかかる一つのフレームの時間より少ない。。
【図面の簡単な説明】
【００４０】
【図１】図１は、従来の技術による有機ＥＬディスプレイパネルを示す図面である。
【図２】図２は、本発明による有機ＥＬディスプレイパネルを示す図面である。
【図３】図３は、本発明による有機ＥＬディスプレイパネルのスキャン駆動波形を示す図面である。
【符号の説明】
【００４１】
　１０：スキャンドライバー
　２０：データドライバー
　３０：電気絶縁隔壁
　４０：データライン
　５０：スキャンライン
【図１】
2004078220.tif 000003
【図２】
2004078220.tif 000004
【図３】
2004078220.tif 000005